(57)【特許請求の範囲】
【請求項１】
落札者端末とオークションサーバと振込口座管理装置と出品者端末とが通信回線を介して相互に接続されたオークション決済システムであって、
前記振込口座管理装置は、
オークション取引の取引ＩＤと出品者ＩＤとをオークションサーバより受信するオークション落札情報受信部と、
受信した前記取引ＩＤと前記出品者ＩＤとを、バーチャル口座の口座番号に関連付けるバーチャル口座開設処理部と、
関連付けられた前記バーチャル口座に対する落札者端末からの振込処理を行う振込・振替処理部と、
前記オークション取引の取引ＩＤ毎に前記出品者ＩＤ、前記バーチャル口座、入金状態及び商品を記憶する記憶装置と、
出品者端末からの閲覧要求に応じて、出品者のオークション取引における入金状態及び商品を前記バーチャル口座に応じて前記オークション取引毎に前記出品者端末に表示させる表示手段と、
表示させた前記バーチャル口座から振替処理を行う本口座であって、予め登録された複数の本口座のうち商品別に対応づける１の本口座の指定を前記出品者端末から受け付ける手段と、
受け付けた前記指定に応じて、前記取引ＩＤに対して記憶された商品を基に、前記取引ＩＤに対して記憶された前記バーチャル口座から、当該商品に対応づけられた前記１の本口座に対して、前記バーチャル口座への入金の振替処理を行う手段とを管理する振込管理処理部と、
を備えるオークション決済システム。
【請求項２】
表示した前記バーチャル口座のうち１のバーチャル口座に対して、前記出品者端末から１の本口座と他行の口座との指定を受け付ける手段と、
前記１のバーチャル口座から前記本口座を経由して指定された前記他行の口座に振込処理を行う手段と、をさらに備える請求項１に記載のオークション決済システム。
【請求項３】
落札者端末とオークションサーバと振込口座管理装置と出品者端末とこれらを相互に接続する通信回線とを備えたオークション決済システムにおけるオークション決済方法であって、前記振込口座管理装置が、
オークション取引の取引ＩＤと出品者ＩＤとをオークションサーバより受信するステップと、
受信した前記取引ＩＤと前記出品者ＩＤと商品とを、バーチャル口座の口座番号に関連付けて記憶するステップと、
関連付けられた前記バーチャル口座に対する落札者端末からの振込処理をして入金状態を記憶するステップと、
出品者端末からの閲覧要求に応じて、出品者のオークション取引における入金状態及び商品を前記バーチャル口座に応じて前記オークション取引毎に前記出品者端末に表示させるステップと、
表示させた前記バーチャル口座から振替処理を行う本口座であって、予め登録された複数の本口座のうち商品別に対応づける１の本口座の指定を前記出品者端末から受け付けるステップと、
受け付けた前記指定に応じて、前記取引ＩＤに対して記憶された商品を基に、前記取引ＩＤに対して記憶された前記バーチャル口座から、当該商品に対応づけられた前記１の本口座に対して、前記バーチャル口座への入金の振替処理を行うステップと、
を実行するオークション決済方法。
【請求項４】
落札者端末とオークションサーバと振込口座管理装置と出品者端末とこれらを相互に接続する通信回線とを備えたオークション決済システムに電子商取引を実行させるコンピュータ・プログラムであって、
前記振込口座管理装置に、
オークション取引の取引ＩＤと出品者ＩＤとをオークションサーバより受信するステップと、
受信した前記取引ＩＤと前記出品者ＩＤと商品とを、バーチャル口座の口座番号に関連付けて記憶するステップと、
関連付けられた前記バーチャル口座に対する落札者端末からの振込処理をして入金状態を記憶するステップと、
出品者端末からの閲覧要求に応じて、出品者のオークション取引における入金状態及び商品を前記バーチャル口座に応じて前記オークション取引毎に前記出品者端末に表示させるステップと、
表示させた前記バーチャル口座から振替処理を行う本口座であって、予め登録された複数の本口座のうち商品別に対応づける１の本口座の指定を前記出品者端末から受け付けるステップと、
受け付けた前記指定に応じて、前記取引ＩＤに対して記憶された商品を基に、前記取引ＩＤに対して記憶された前記バーチャル口座から、当該商品に対応づけられた前記１の本口座に対して、前記バーチャル口座への入金の振替処理を行うステップと、
を実行させるコンピュータ・プログラム。
【請求項５】
落札者端末とオークションサーバと振込口座管理装置と出品者端末とこれらを相互に接続する通信回線とを備えたオークション決済システムであって、
前記振込口座管理装置は、
オークション取引の取引ＩＤと出品者ＩＤとをオークションサーバより受信するオークション落札情報受信部と、
受信した前記取引ＩＤと前記出品者ＩＤとを、バーチャル口座の口座番号に関連付けるバーチャル口座開設処理部と、
関連付けられた前記バーチャル口座に対する落札者端末からの振込処理を行う振込・振替処理部と、
前記オークション取引の取引ＩＤ毎に前記出品者ＩＤ、前記バーチャル口座、入金状態及び商品を記憶する記憶装置と、
出品者端末からの閲覧要求に応じて、出品者のオークション取引における入金状態及び商品を前記バーチャル口座に応じて前記オークション取引毎に前記出品者端末に表示させる表示手段と、
表示させた前記バーチャル口座から振替処理を行う本口座であって、予め登録された複数の本口座のうち商品別に対応づける１の本口座の指定を前記出品者端末から受け付ける手段と、
受け付けた前記指定に応じて、前記取引ＩＤに対して記憶された商品を基に、前記取引ＩＤに対して記憶された前記バーチャル口座から、当該商品に対応づけられた前記１の本口座に対して、前記バーチャル口座への入金の振替処理を行う手段とを管理する振込管理処理部と、
を備えるオークション決済システム。
【請求項６】
インターネットオークションシステムに使用される振込口座管理装置であって、
オークション取引の取引ＩＤと出品者ＩＤとをオークションサーバより受信するオークション落札情報受信部と、
受信した前記取引ＩＤと前記出品者ＩＤとを、バーチャル口座の口座番号に関連付けるバーチャル口座開設処理部と、
前記オークション取引の落札者から前記バーチャル口座への振込みを行う入金処理部と、
前記オークション取引の取引ＩＤ毎に前記出品者ＩＤ、前記バーチャル口座、入金状態及び商品を記憶する記憶装置と、
出品者端末からの閲覧要求に応じて、出品者のオークション取引における入金状態及び商品を前記バーチャル口座に応じて前記オークション取引毎に前記出品者端末に表示させる表示手段と、
表示させた前記バーチャル口座から振替処理を行う本口座であって、予め登録された複数の本口座のうち商品別に対応づける１の本口座の指定を前記出品者端末から受け付け、受け付けた該指定に応じて、前記取引ＩＤに対して記憶された商品を基に、前記取引ＩＤに対して記憶された前記バーチャル口座から、当該商品に対応づけられた前記１の本口座に対して前記バーチャル口座への入金の振替処理を行う手段とを管理する振込管理処理部と、
を備える振込口座管理装置。
【請求項７】
落札者端末とオークションサーバとバーチャル口座管理サーバと金融サーバと出品者端末とこれらを相互に接続する通信回線とを備えたオークション決済システムであって、
前記バーチャル口座管理サーバは、
前記オークションサーバより落札したオークション取引の取引ＩＤと出品者ＩＤとの情報を受信するオークション落札情報受信部と、
前記取引ＩＤと出品者ＩＤと商品とをバーチャル口座の口座番号に関連付けて記憶し、前記オークション取引における入金状態を前記バーチャル口座のオークション入金管理情報としてさらに記憶する記憶部と、
前記出品者端末からの閲覧要求情報を受信したことに対応して、前記出品者端末に、前記記憶部に記憶されている前記オークション入金管理情報を送信し、出品者の取引における入金状態及び商品を前記バーチャル口座に応じて前記オークション取引毎に前記出品者端末に表示させ、表示させた前記バーチャル口座から振替処理を行う本口座であって、予め登録された複数の本口座のうち商品別に対応づける１の本口座の指定を前記出品者端末から受け付けるバーチャル口座管理部とを備え、
前記記憶部は、前記出品者端末から受け付けた前記指定に応じて、前記取引ＩＤに対して記憶された商品を基に、前記取引ＩＤに対して記憶された前記バーチャル口座から、当該商品に対応づけられた前記本口座に対する資金移動先指示情報を受信し、さらに当該資金移動先指示情報を記憶し、
記憶されている前記資金移動先指示情報を前記金融サーバに送信する振込管理処理部をさらに備え、
前記金融サーバは、
前記バーチャル口座管理サーバから、関連付けられた前記バーチャル口座の開設依頼情報を受信して、バーチャル口座を開設するバーチャル口座開設部と、
関連付けられた前記バーチャル口座への振込を処理し、前記バーチャル口座管理サーバから前記資金移動先指示情報を受信して振込または振替処理を行う振込・振替処理部と、
を備えるオークション決済システム。
【請求項８】
落札者端末とオークションサーバとバーチャル口座管理サーバと金融サーバと出品者端末とこれらを相互に接続する通信回線とを備えたオークション決済システムに使用されるバーチャル口座管理サーバであって、
前記オークションサーバより落札したオークション取引の取引ＩＤと出品者ＩＤとの情報を受信するオークション落札情報受信部と、
前記取引ＩＤと出品者ＩＤと商品とをバーチャル口座の口座番号に関連付けて記憶し、前記オークション取引における入金状態を前記バーチャル口座のオークション入金管理情報としてさらに記憶する記憶部と、
前記出品者端末からの閲覧要求情報を受信したことに対応して、前記出品者端末に、前記記憶部に記憶されている前記オークション入金管理情報及び商品を送信し、出品者の取引における入金状態を前記バーチャル口座に応じて前記オークション取引毎に接続されている前記出品者端末に表示させ、表示させた前記バーチャル口座から振替処理を行う本口座であって、予め登録された複数の本口座のうち前記出品者端末から商品別に対応づける１の本口座の指定を前記出品者端末から受け付けるバーチャル口座管理部とを備え、
前記記憶部は、前記出品者端末から受け付けた前記指定に応じて、前記取引ＩＤに対して記憶された商品を基に、前記取引ＩＤに対して記憶された前記バーチャル口座から、当該商品に対応づけられた前記本口座に対する資金移動先指示情報を受信し、さらに当該資金移動先指示情報を記憶し、
記憶されている前記資金移動先指示情報を前記金融サーバに送信する振込管理処理部
をさらに備えるバーチャル口座管理サーバ。
【請求項９】
落札者端末とオークションサーバと振込口座管理装置と出品者端末とこれらを相互に接続する通信回線とを備えた電子商取引システムに電子商取引を実行させるコンピュータ・プログラムであって、
前記振込口座管理装置に、
オークションサーバより落札したオークション取引の取引ＩＤと出品者ＩＤとの情報を受信させるステップと、
受信したオークション取引の取引ＩＤと出品者ＩＤと商品とをバーチャル口座の口座番号に関連付けて記憶させ、前記オークション取引における入金状態と前記バーチャル口座のオークション入金管理情報とを記憶させるステップと、
出品者端末からの閲覧要求情報を受信させ、前記出品者端末に記憶されている前記オークション入金管理情報を送信させるステップと、
出品者の取引における入金状態及び商品を前記バーチャル口座に応じて前記オークション取引毎に前記出品者端末に表示させるステップと、
表示させた前記バーチャル口座から振替処理を行う本口座であって、予め登録された複数の本口座のうち商品別に対応づける１の本口座の指定を前記出品者端末から受け付けるステップと、
前記出品者端末から受け付けた前記指定に応じて、前記取引ＩＤに対して記憶された商品を基に、前記取引ＩＤに対して記憶された前記バーチャル口座から当該商品に対応づけられた前記本口座に対する資金移動先指示情報を受信させ、さらに記憶させるステップと、
記憶されている資金移動先指示情報を金融サーバに送信させるステップと、
を実行させるコンピュータ・プログラム。
【発明の詳細な説明】
【技術分野】
【０００１】
本発明は、電子商取引システム、電子商取引方法、振込口座管理装置、オークション決済システム及びそれらのコンピュータ・プログラムに関する。
【背景技術】
【０００２】
従来より、インターネット等の情報通信回線を介して、電子商取引システム、電子商取引方法が行われている。例えば、電子商取引として、オークション取引を行うオークション決済システム、オークション決済方法では、オークションの落札者が出品者に振込みを行う場合に、オンラインバンキングシステムを介して振込みが行われることが知られている（例えば、特許文献１）。特許文献１に記載のオンラインバンキングでは、オークションの取引毎に仮想口座を設けて、仮想口座に基づいて落札者の入金を管理することが可能である。
【特許文献１】特開２００３−３０４５１号公報
【発明の開示】
【発明が解決しようとする課題】
【０００３】
しかしながら、特許文献１に記載のシステムでは、落札者から入金される口座を出品者が自由に指定することができない。すなわち、出品者は、所定の仮想口座に振込みが行われた場合に、この振込みを、複数ある本口座のうちの１つの本口座に振替るように指定したい場合がある。また、出品者が、ある取引に対しては、Ａ銀行に振込むように指定し、他の取引に対しては、Ｂ銀行に振込むように指定したい場合である。特許文献１に記載のシステムでは、このように振替先、振込先を出品者の意思で指定する場合の対応については見当たらない。
【０００４】
本発明は、複数の取引の各々に対応づけられたバーチャル口座に対して落札者からの振込みがあった場合に、この振込みが行われる本口座を出品者が指定することが可能であることにより、複数のバーチャル口座と複数の本口座が関連付けられることで、出品者にとって利便性の高い、電子商取引システム、電子商取引方法、振込口座管理装置、オークション決済システム及びそれらのコンピュータ・プログラムを提供することを目的とする。
【課題を解決するための手段】
【０００５】
以上のような目的を達成するために、本発明は、以下のようなものを提供する。
【０００６】
（１）  所定の取引の取引ＩＤと受取人ＩＤとを、バーチャル口座に関連付ける手段と、関連付けられた前記バーチャル口座に対する支払人からの振込処理を行う手段と、受取人の閲覧要求に応じて、前記受取人の取引における入金状態を前記バーチャル口座毎に表示する表示手段と、表示した前記バーチャル口座のうち１のバーチャル口座に対して、１以上の本口座のうち前記受取人が指定した１の本口座の指定を受け付ける手段と、受け付けた前記指定に応じて、前記１のバーチャル口座から、前記１の本口座に対して振替処理を行う手段と、を備える電子商取引システム。
【０００７】
（２）  表示した前記バーチャル口座のうち１のバーチャル口座に対して、前記受取人が指定した１の本口座と他行の口座との指定を受け付ける手段と、前記１つのバーチャル口座から前記本口座を経由して指定された前記他行の口座に振込処理を行う手段と、をさらに備える（１）に記載の電子商取引システム。
【０００８】
（３）  所定の取引の取引ＩＤと受取人ＩＤとを、バーチャル口座に関連付けるステップと、関連付けられた前記バーチャル口座に対する支払人からの振込処理をするステップと、受取人の閲覧要求に応じて、前記受取人の取引における入金状態を前記バーチャル口座毎に表示するステップと、表示した前記バーチャル口座のうち１のバーチャル口座に対して、１以上の本口座のうち前記受取人が指定した１の本口座の指定を受け付けるステップと、受け付けた前記指定に応じて、前記１のバーチャル口座から、前記１の本口座に対して振替処理を行うステップと、を備える電子商取引方法。
【０００９】
（４）  コンピュータに、所定の取引の取引ＩＤと受取人ＩＤとを、バーチャル口座に関連付けるステップと、関連付けられた前記バーチャル口座に対する支払人からの振込処理をするステップと、受取人の閲覧要求に応じて、前記受取人の取引における入金状態を前記バーチャル口座毎に表示するステップと、表示した前記バーチャル口座のうち１のバーチャル口座に対して、１以上の本口座のうち前記受取人が指定した１の本口座の指定を受け付けるステップと、受け付けた前記指定に応じて、前記１のバーチャル口座から、前記１の本口座に対して振替処理を行うステップと、を実行させるコンピュータ・プログラム。
【００１０】
（１）から（４）に記載の発明によれば、複数のバーチャル口座と複数の本口座とを関連付けることで、受取人にとって利用しやすい電子商取引システムを提供することが可能である。すなわち、支払人がバーチャル口座への振込みが完了した後に、受取人の意図に基づいて、最終的に振込まれる本口座を指定することが可能である。さらに、受取人の閲覧要求に応じて、受取人の取引における入金状態がバーチャル口座毎に表示されるため、受取人は、この受取人に関連した取引の入金状態を視認することが可能である。加えて、受取人は、支払人が入金する際に自分の本口座に関する口座番号等の情報を明かすことを要せずに、自らの意思に基づいて指定した本口座に入金させることが可能である。なお、入金状態の表示は全て表示することが望ましい。
【００１１】
（５）  所定のオークション取引の取引ＩＤと出品者ＩＤとを、バーチャル口座に関連付ける手段と、関連付けられた前記バーチャル口座に対する落札者からの振込処理を受け付ける手段と、落札者からの振込処理を受け付けたことに応答して、前記振込処理を実行する手段と、出品者の閲覧要求に応じて、前記出品者のオークション取引における入金状態を前記バーチャル口座毎に表示する表示手段と、表示した前記バーチャル口座のうち１のバーチャル口座に対して、１以上の本口座のうち前記出品者が指定した１の本口座の指定を受け付ける手段と、受け付けた前記指定に応じて、前記１のバーチャル口座から、前記１の本口座に対して振替処理を行う手段と、を備えるオークション決済システム。
【００１２】
（５）に記載の発明によれば、複数のバーチャル口座と複数の本口座とを関連付けることで、出品者にとって利用しやすいオークション決済システムを提供することが可能である。すなわち、落札者がバーチャル口座への振込みが完了した後に、出品者の意図に基づいて、最終的に振込まれる本口座を指定することが可能である。さらに、出品者の閲覧要求に応じて、出品者のオークション取引における入金状態がバーチャル口座毎に表示されるため、出品者は、この出品者に関連した全てのオークション取引の入金状態を視認することが可能である。加えて、出品者は、落札者が入金する際に自分の本口座に関する口座番号等の情報を明かすことを要さずに、自らの意思に基づいて指定した本口座に入金させることが可能である。
【００１３】
（６）  インターネットオークションシステムに使用される振込口座管理装置であって、オークション取引の取引ＩＤと出品者ＩＤとを受信するオークション落札情報受信部と、前記取引ＩＤと出品者ＩＤとに関連付けたバーチャル口座を開設するバーチャル口座開設処理部と、前記オークション取引の落札者から前記バーチャル口座への振込を行う入金処理部と、出品者の閲覧要求に応じて、前記出品者のオークション取引における入金状態を前記バーチャル口座毎に表示する表示手段と、表示した前記バーチャル口座のうち１のバーチャル口座に対して、１以上の本口座のうち前記出品者が指定した１の本口座の指定を受け付け、受け付けた該指定に応じて、前記１のバーチャル口座から、前記１の本口座に対して振込処理を行う振込管理処理部と、を備える振込口座管理装置。
【００１４】
（６）に記載の発明は振込口座管理装置に関するものである。本発明の振込口座管理装置をインターネットオークションシステムに用いることにより（５）に記載の発明と同様の作用効果がある。
【００１５】
（７）  落札者端末とオークションサーバとバーチャル口座管理サーバと金融サーバと出品者端末とこれらを相互に接続する通信回線とを備えたオークション決済システムであって、前記バーチャル口座管理サーバは、前記オークションサーバより落札したオークション取引の取引ＩＤと出品者ＩＤとの情報を受信するオークション落札情報受信部と、前記取引ＩＤと出品者ＩＤとをバーチャル口座に関連付けて記憶し、前記オークション取引における入金状態を前記バーチャル口座のオークション入金管理情報としてさらに記憶する記憶部と、前記出品者端末からの閲覧要求情報を受信したことに対応して、前記出品者端末に、前記記憶部に記憶されている前記オークション入金管理情報を送信するバーチャル口座管理部とを備え、前記記憶部は、前記出品者端末からの前記バーチャル口座から本口座に対する資金移動先指示情報を受信し、さらに当該資金移動先指示情報を記憶し、記憶されている前記資金移動先指示情報を前記金融サーバに送信する振込管理処理部をさらに備え、前記金融サーバは、前記バーチャル口座管理サーバから、関連付けられた前記バーチャル口座の開設依頼情報を受信して、バーチャル口座を開設するバーチャル口座開設部と、関連付けられた前記バーチャル口座への振込を処理し、前記バーチャル口座管理サーバから前記資金移動先指示情報を受信して振込または振替処理を行う振込・振替処理部と、を備えるオークション決済システム。
【００１６】
（７）に記載の発明は、バーチャル口座に振込等の金融に関連した処理を行うには法律で定められた基準を満たして審査の上許可された金融機関でないと認められない。一方金融機関はオークションに伴う雑多な処理を行うことは好まないことが多い。この点を解決するために、実際の資金の振込・振替等を行う処理とバーチャル口座を開設する処理を、認可を受けた金融機関の金融サーバで処理する。一方、オークション取引に関連した入金確認、バーチャル口座からの資金の移動先の指示等の処理をバーチャル口座管理サーバに処理させることを特徴とする。
【００１７】
このように、分業することにより金融機関以外の業者も対応することができる。したがって、対応の幅が広がる。
【００１８】
（８）  落札者端末とオークションサーバとバーチャル口座管理サーバと金融サーバと出品者端末とこれらを相互に接続する通信回線とを備えたオークション決済システムに使用されるバーチャル口座管理サーバであって、前記オークションサーバより落札したオークション取引の取引ＩＤと出品者ＩＤとの情報を受信するオークション落札情報受信部と、前記取引ＩＤと出品者ＩＤとをバーチャル口座に関連付けて記憶し、前記オークション取引における入金状態を前記バーチャル口座のオークション入金管理情報としてさらに記憶する記憶部と、前記出品者端末からの閲覧要求情報を受信したことに対応して、前記出品者端末に、前記記憶部に記憶されている前記オークション入金管理情報を送信するバーチャル口座管理部とを備え、前記記憶部は、前記出品者端末からの前記バーチャル口座から本口座に対する資金移動先指示情報を受信し、さらに当該資金移動先指示情報を記憶し、記憶されている前記資金移動先指示情報を前記金融サーバに送信する振込管理処理部をさらに備えるバーチャル口座管理サーバ。
【００１９】
（８）に記載の発明はバーチャル口座管理サーバに関するものである。本発明のバーチャル口座管理サーバをオークション決済システムに用いることにより（７）に記載の発明と同様の作用効果がある。
【００２０】
（９）  コンピュータに、オークションサーバより落札したオークション取引の取引ＩＤと出品者ＩＤとの情報を受信させるステップと、前記取引ＩＤと出品者ＩＤとをバーチャル口座に関連付け、前記オークション取引における入金状態を前記バーチャル口座のオークション入金管理情報を記憶させるステップと、出品者端末の閲覧要求情報を受信させ、出品者端末に記憶されている前記オークション入金管理情報を送信させるステップと、前記出品者端末からの前記バーチャル口座から本口座に対して資金移動先指示情報を受信させ、さらに記憶させるステップと、記憶されている資金移動先指示情報を金融サーバに送信させるステップと、を実行させるコンピュータ・プログラム。
【００２１】
（９）に記載の発明は、コンピュータ・プログラムに関する発明である。（９）に記載のコンピュータ・プログラムをコンピュータに読み込ませて動作させることにより（８）に記載の発明と同様な作用効果が得られる。
【発明の効果】
【００２２】
これらの発明によれば、振替先、振込先を出品者の意思で指定することが出来る出品者にとって利用しやすい電子商取引システム、電子商取引方法、そのコンピュータ・プログラム及び振込口座管理装置を提供することが可能である。
【発明を実施するための最良の形態】
【００２３】
以下、発明の実施例を通じて本発明を説明するが、以下の実施例は特許請求の範囲にかかる発明を限定するものではなく、また実施例の中で説明されている特徴の組み合わせの全てが発明の解決手段に必須であるとは限らない。
【００２４】
［第１の実施例］
図１は、本発明の好適な一実施例である電子商取引システム構成の概略を示した図である。図２は、本発明のオークション決済フローを示した図である。図３は、本発明の好適な一実施例の上記のシステムにおける処理の流れの詳細を示した図である。図４は、バーチャル口座データベースの一例である。
【００２５】
以下本発明について、図１から図４を参照して説明をする。
【００２６】
図１に示すように、本発明の電子商取引システムは、落札者端末１０と出品者端末２０と振込口座管理装置３０とオークションサーバ５０とを備え、これらが通信回線４０で相互に接続されている。さらに、振込口座管理装置３０にはその記憶装置３０ａが、オークションサーバ５０にはその記憶装置５０ａが各々接続されている。
【００２７】
振込口座管理装置３０には、オークション取引の取引ＩＤと受取人ＩＤとをオークションサーバ５０より受信するオークション落札情報受信部３２と、受信した取引ＩＤと受取人ＩＤとをバーチャル口座に関連付ける手段であるバーチャル口座開設処理部３４と、関連付けられたバーチャル口座に対する支払人からの振込処理をする手段である振込・振替処理部３６と、受取人の閲覧要求に応じて、前記受取人の取引における入金状態を前記バーチャル口座毎に接続されている端末で表示できる表示手段と、表示したバーチャル口座のうち１のバーチャル口座に対して、１以上の本口座のうち前記受取人が指定した１の本口座の指定を受け付ける手段と受け付けた前記指定に応じて、前記１のバーチャル口座から、１の本口座に対して振替処理を行う手段とを管理する振込管理処理部３８とを備える。
【００２８】
振込口座管理装置３０にはバーチャル口座が開設され、このバーチャル口座に支払人から振込処理がなされるので、振込口座管理装置３０は資金の振込・振替などが認可されている金融機関に設置することが望ましい。認可されている金融機関では、具体的には全国銀行データ通信システムを適用して本願発明を実施することができる。
【００２９】
落札者端末１０と出品者端末２０は、図１に示すように通信回線４０に接続してデータの受信・送信が出来るパソコンであってもよいし、同様な機能を有する携帯電話機等であってもよい。
【００３０】
振込口座管理装置３０とオークションサーバ５０とのハードウェアの具体例については図６で詳細に後述する。
【００３１】
図２は、本発明のオークション決済フローを示す図面である。オークションをインターネット等で行う場合は、出品者は例えばＡ銀行に入金したい場合はオークションに出品時に、Ａ銀行へ入金することをオークション会社等に対して承諾する。その内容を出品画面に表示する。また、落札者も入札時にＡ銀行へ振込することをオークション会社等に対して承諾する。そして、オークションが行われる。
【００３２】
オークションが行われるとオークションサーバ５０のオークションサイトの落札結果画面が表示される（Ｓ１１０）。また、落札者には落札者メールが出品者にはオークション完了メールが送付される。これらのメールを見て当事者間のやり取りがメール等で行われる。
【００３３】
オークション落札情報は、オークションサーバ５０から振込口座管理装置３０に送信されオークション落札情報受信部３２により受信される。落札情報受信をトリガーにバーチャル口座開設処理部３４によりオークションＩＤ（取引ＩＤ）、出品者ＩＤ（受取人ＩＤ）に関連付けてバーチャル口座が開設される（Ｓ１１４）。
【００３４】
バーチャル口座開設後出品者が振込管理処理部３８で管理されている出品者を特定してログインすると図２の丸印の２に示すようなオークション入金管理画面が表示される（Ｓ１１６）。オークション入金管理画面をみて、図２のように落札者のうちＣさんからの落札代金が未入金であることが分かる。出品者はこれを見て未入金のところのボタンをクリックすると図２のような請求画面がでる（Ｓ１１８）。ここで、送料についてはオークションサイトから提供されるツールを使用して算出し入力する。
【００３５】
請求画面に送料などを入力し確認して請求のボタンを押すと振込先確認画面が出品者端末２０に表示される（Ｓ１２０）。出品者は確認して確認ボタンをクリックすると振込・振替処理部３６により振込口座管理装置３０の記憶装置３０ａに請求情報として記憶される。その後、落札者に開設されたバーチャル口座に落札代金を振り込むよう通知メールが送付される（Ｓ１２２）。
【００３６】
通知メールを受信した落札者は、落札現品を受領後通知メールに示された落札者バーチャル口座にログインする（Ｓ１２４）。ログインすると図２の丸印の６で示すようなオークション振込画面が落札者端末１０に表示される。落札者は表示された内容を確認して問題がなければ振込ボタンをクリックする。クリックすると振込・振替処理部３６に処理内容が転送され準備されたバーチャル口座に振り込まれると同時に請求情報の消し込みが行われる（Ｓ１２６）。
【００３７】
振込がされると入金した旨のメールが出品者に送付される。メールを受け取った出品者は出品者バーチャル口座にログインすると図２の丸印２の画面が出品者端末２０に表示される。その結果、落札者のＣさんから入金したことが分かる。
【００３８】
バーチャル口座に入金された金額はいつまでもバーチャル口座にとどめることができない。取引銀行内の本口座に振替えるか、他銀行の自己の口座に振込む必要がある。この関係を図３に示す。
【００３９】
図３に示すように、出品者α名義のバーチャル口座には取引者Ａ、取引者Ｂ、取引者Ｃに対応したバーチャル口座が設けられている。上記で説明した「Ｃさん  商品え」の代金である￥４２００はバーチャル口座番号１００１００３に振り込まれる。出品者がバーチャル口座にログインすると図３に示すオークション入金管理画面が表示される。出品者αはオークションの代金をＡ銀行本口座と他行本口座とに取引に対応して振込みたい場合がある。その場合は図３のオークション入金管理画面にて、資金移動のボタンをクリックすると資金移動画面が出品者端末２０に表示される。そこで、資金移動先のカーソルを移動して選定し実行をクリックするとその情報が出品者端末２０から通信回線４０を経由して振込口座管理装置３０の振込管理処理部３８に伝えられる。振込管理処理部３８は振込・振替処理部３６に指令を送り伝えられた情報に従いバーチャル口座から本口座に振替振込または振込を行う。例えば、上記の「Ｃさん  商品え」の代金はＡ銀行のバーチャル口座１００１００３に振込まれ、これが他行本口座２０００３０１に振込まれる。
【００４０】
このようにして、バーチャル口座から受取人（出品者）が希望する本口座に確実に振替・振込されるので、受取人は安心して取引をすることができる。
【００４１】
以上の説明では、バーチャル口座のデータベースを簡易に説明したが、図４の例に示すようにオークションＩＤ毎に出品者ＩＤ、落札者ＩＤ、商品名、バーチャル口座、落札額、配送料、ステータスと具体的に明らかにして処理することが望ましい。
【００４２】
［第２の実施例］
図５は、本発明の別の実施例である。オークションの出品者にとっては商品毎に取扱銀行の本口座への振替または他行の本口座に振込みをしたい場合がある。この場合に対応したものである。図５に示すように、取引は取引Ａ、取引Ｂ、取引Ｃ、取引Ｄの４つの取引が４名の取引者と行われている。しかし商品は図５に示すように「商品あ」と「商品い」の２種類である。商品の種類毎に振替または振込をする本口座を変えておけば経理上取扱いがしやすい。
【００４３】
この点を解決するために、図５に示すような商品別に振替・振込本口座決定手段を振込管理処理部３８に備える。この商品別に振替・振込本口座決定手段は図５に事前に登録をすることが望ましい。図５のオークション入金管理画面の商品別のボタンをクリックすると商品別振替・振込口座の画面が表示される。この画面にはバーチャル口座データベースに記憶されている商品名が順次表示される。この商品の代金を振替または振込する予想口座が出品者の登録した口座の中から過去の実績に基づいて表示される。出品者は表示された予想口座でよければ入力のボタンをクリックするとその商品の振替等はその口座に決定し記憶装置３０ａに記憶する。このようにして、事前に商品別に振替等をする資金の移動先を決めておくことが出来る。
【００４４】
図６は、振替・振込本口座決定手段の動作を示すフローチャートである。事前に商品別に振替等をする資金の移動先を決めて記憶装置３０ａに記憶した後、例えば、図５のオークション入金管理画面で資金移動のボタンをクリックすると振替・振込本口座決定手段画始動する。始動するとバーチャル口座データベースに記憶されているデータを読込み（Ｓ２１０）、読込まれた商品名が記憶装置３０ａの商品別資金移動のデータがあるか否かを判定する（Ｓ２２０）。判定後ある場合（ＹＥＳ）は記憶装置３０ａに記憶されている商品別振替・振込本口座データを読み出す（Ｓ２３０）。そして読み出されたデータを基に商品別振替・振込先を決定する（Ｓ２５０）。つまり、バーチャル口座から本口座への資金の移動先を決定する。
【００４５】
判定して否の場合（ＮＯ）は、第１の実施例で説明したようにバーチャル口座毎に資金移動先を出品者が入力する。
【００４６】
このようにして、商品毎に取扱銀行の本口座への振替または他行の本口座に振込みをすることができる。
【００４７】
［第３の実施例］
第３の実施例は、バーチャル口座に振込等の金融に関連した処理を行うには法律で定められた基準を満たして、審査の上許可された金融機関でないと認められない。一方金融機関はオークションに伴う雑多な処理を行うことは本来の業務ではないので好まないことが多い。この点を解決するために、実際の資金の振込・振替等を行う処理とバーチャル口座を開設する処理とを、認可を受けた金融機関の金融サーバで処理する。一方、オークション取引に関連した入金確認、バーチャル口座からの資金の移動先の指示等の処理をバーチャル口座管理サーバに処理させることを特徴とする。
【００４８】
図７は、本願発明の本発明の別の実施例にかかるオークション決済システムに関する図である。図８は、本発明の別の実施例にかかるオークション決済システムの動作を示す図である。以下これらの図を参照して説明をする。図７に示すように、第３の実施例のオークション決済システムは、落札者端末１０とオークションサーバ５０とバーチャル口座管理サーバ７０と金融サーバ６０と出品者端末２０とこれらを相互に接続する通信回線４０とを備える。
【００４９】
バーチャル口座管理サーバ７０は、オークションサーバより落札したオークション取引の取引ＩＤと出品者ＩＤとの情報を受信するオークション落札情報受信部７２と、取引ＩＤと出品者ＩＤとをバーチャル口座に関連付け、オークション取引における入金状態を前記バーチャル口座のオークション入金管理情報を記憶する記憶部７０ａと、出品者端末２０の閲覧要求情報を受信して、出品者端末２０に記憶されている、オークション入金管理情報を送信するバーチャル口座管理部７４と、出品者端末２０からのバーチャル口座から本口座に対して資金移動先指示情報を受信し、さらに記憶する記憶部７０ａと、記憶されている資金移動先指示情報を金融サーバ６０に送信する振込管理処理部７８とを備える。
【００５０】
金融サーバ６０は、バーチャル口座管理サーバ７０から関連付けられたバーチャル口座の開設依頼情報を受信してバーチャル口座を開設するバーチャル口座開設部６２と、関連付けられた前記バーチャル口座への振込を処理し、バーチャル口座管理サーバ７０から資金移動先指示情報を受信して振込または振替処理を行う振込・振替処理部６６とを備える。その他のシステムが備える要素は第１の実施例と同様であるので説明を省略する。
【００５１】
オークションサーバ５０と金融サーバ６０とバーチャル口座管理サーバ７０のハードウェアの具体例については図９で詳細に後述する。
【００５２】
以下本発明のオークション決済システムの動作について、図８を参照して説明をする。オークションサーバ５０でオークションが成立すると、その具体的なオークション落札情報がオークションサーバ５０より落札者端末１０と出品者端末２０に通信回線４０を介して送信される。送信されたオークション落札情報を見た出品者は出品者端末２０よりバーチャル口座管理サーバ７０にバーチャル口座開設指示をオークション落札情報のデータともに送信する。
【００５３】
バーチャル口座開設指示を受けたバーチャル口座管理サーバ７０は、金融サーバ６０にバーチャル口座開設の依頼をオークション落札情報のデータとともに送信する。依頼を受信した金融サーバ６０はオークション落札情報のデータに関連付けてバーチャル口座をバーチャル口座開設部６２により開設する（Ｓ３１０）。オークション落札情報のデータは取引ＩＤと出品者ＩＤなど図４に示すデータが望ましい。
【００５４】
バーチャル口座が開設されると、開設されたバーチャル口座のデータが金融サーバ６０からバーチャル口座管理サーバ７０に送信される。データを受信したバーチャル口座管理サーバ７０は出品者端末２０に開設したバーチャル口座番号等を通知する。また、バーチャル口座管理サーバ７０は、図３に示すようなオークション入金管理データベースを作成し記憶部７０ａに記憶する（Ｓ３２０）。
【００５５】
出品者を特定して出品者端末２０からバーチャル口座管理サーバ７０にログインするとバーチャル口座管理部７４により記憶部７０ａに記憶されているオークション入金管理データベースの対象部分が読み出されて出品者端末２０に送信され、出品者端末２０に図３で説明したようなオークション入金管理画面が表示される。オークション入金管理画面を見た出品者は未請求の部分がある場合に、未入金請求の指示を出品者端末２０よりバーチャル口座管理サーバ７０に送信する。
【００５６】
未入金請求の指示を受信したバーチャル口座管理サーバ７０は指示された未入金の請求書を作成し（Ｓ３３０）、落札者端末１０に送信する。請求を受けた落札者は、指定されたバーチャル口座に振込をする。振込みは落札者端末１０から全国銀行データ通信システムによってファームバンクシステムによっても振込することができる。また、銀行のＡＴＭより振込んでもよい。振込が行われると、金融サーバ６０の振込・振替処理部６６によりバーチャル口座に入金される（Ｓ３４０）。
【００５７】
バーチャル口座に入金されると入金通知が金融サーバ６０からバーチャル口座管理サーバ７０を経由して出品者端末２０に送信される。入金通知を受けた出品者はオークションで落札された商品を発送する。商品を受領した落札者は落札者端末１０より、商品受取通知をバーチャル口座管理サーバ７０に送信する。商品受取通知を受けたバーチャル口座管理サーバ７０は、バーチャル口座にある資金の移動先について確認の送信を出品者端末２０にする。出品者は第１の実施例の図３のような移動資金画面にしたがって資金移動先をバーチャル口座管理サーバ７０に指示する送信を行う。
【００５８】
資金移動先の指示を受信したバーチャル口座管理サーバ７０は、資金移動情報を作成する（Ｓ３５０）。作成された資金移動情報は記憶部７０ａに記憶する。記憶後バーチャル口座管理サーバ７０は資金移動情報を金融サーバ６０に送信する。金融サーバ６０の振込・振替処理部６６は、受信した資金移動情報に従って、バーチャル口座から本口座に振込または振替を行う（Ｓ３６０）。処理後、金融サーバ６０からバーチャル口座管理サーバ７０に処理結果が通知される。通知を受けたバーチャル口座管理サーバ７０はオークション入金管理データベースを更新する。一方、金融サーバ６０はバーチャル口座を閉鎖する（Ｓ３７０）。
【００５９】
以上のように、金融機関が行う金融サーバと金融機関以外の業者のバーチャル口座管理サーバとに分業することにより、対応の幅を広げることができる。また資金移動情報に基づき移動することができるので、振替先、振込先を出品者の意思で指定することができる。なお、バーチャル口座管理サーバ７０はオークションサーバ５０の中に必要な機能を組み込んで実施することもできる。
【００６０】
図９は、図１で説明した本発明の好適な実施例の一例に係る振込口座管理装置３０とオークションサーバ５０、ならびに図７の金融サーバ６０とバーチャル口座管理サーバ７０に適用することが出来るサーバ１００のハードウェア構成の一例を示す図である。サーバ１００は、ＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２など複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ＵＳＢポート１０９０、Ｉ／Ｏコントローラ１０７０、ならびにキーボード及びマウス１１００等の入力手段や表示装置１０２２を備える。
【００６１】
Ｉ／Ｏコントローラ１０７０には、テープドライブ１０７２、ハードディスク１０７４、光ディスクドライブ１０７６、半導体メモリ１０７８、等の記憶手段を接続することができる。
【００６２】
ＢＩＯＳ１０６０は、サーバ１００の起動時にＣＰＵ１０１０が実行するブートプログラムや、サーバ１００のハードウェアに依存するプログラム等を格納する。
【００６３】
記憶装置３０ａまたは記憶装置５０ａを構成するハードディスク１０７４は、サーバ１００がサーバとして機能するための各種プログラム及び本発明の機能を実行するプログラムを記憶しており、さらに必要に応じて各種データベースを構成可能である。
【００６４】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラムまたはデータを読み取り、Ｉ／Ｏコントローラ１０７０を介してメインメモリ１０５０またはハードディスク１０７４に提供することもできる。また、同様にテープドライブ１０７２に対応したテープメディア１０７１を主としてバックアップのために使用することもできる。
【００６５】
サーバ１００に提供されるプログラムは、ハードディスク１０７４、光ディスク１０７７、またはメモリーカード等の記録媒体に格納されて提供される。このプログラムは、Ｉ／Ｏコントローラ１０７０を介して、記録媒体から読み出され、または通信Ｉ／Ｆ１０４０を介してダウンロードされることによって、サーバ１００にインストールされ実行されてもよい。
【００６６】
前述のプログラムは、内部または外部の記憶媒体に格納されてもよい。ここで、記憶媒体としては、ハードディスク１０７４、光ディスク１０７７、またはメモリーカードの他に、ＭＤ等の光磁気記録媒体、テープメディア１０７１を用いることができる。また、専用通信回線やインターネットに接続されたサーバシステムに設けたハードディスク１０７４または光ディスクライブラリー等の記憶装置を記録媒体として使用し、通信回線を介してプログラムをサーバ１００に提供してもよい。
【００６７】
ここで、表示装置１０２２は、サーバ管理者等にデータの入力を受け付ける画面を表示したり、サーバ１００による演算処理結果の画面を表示したりするものであり、ブラウン管表示装置（ＣＲＴ）、液晶表示装置（ＬＣＤ）等のディスプレイ装置を含む。
【００６８】
ここで、入力手段は、サーバ管理者等による入力の受付を行うものであり、キーボード及びマウス１１００等により構成してよい。
【００６９】
また、通信Ｉ／Ｆ１０４０は、サーバ１００を専用ネットワークまたは公共ネットワークを介して端末と接続できるようにするためのネットワーク・アダプタである。通信Ｉ／Ｆ１０４０は、モデム、ケーブル・モデム及びイーサネット（登録商標）・アダプタを含んでよい。
【００７０】
以上の例は、電子商取引システムについて主に説明したが、コンピュータに、プログラムをインストールして、そのコンピュータを振込口座管理装置として動作させることにより上記で説明した機能を実現することもできる。したがって、本発明において一実施例として説明した電子商取引システムにより実現される機能は、上述の方法を当該コンピュータにより実行することにより、あるいは、上述のプログラムを当該コンピュータに導入して実行することによっても実現可能である。
【００７１】
以上、本発明を実施形態、及び実施例を用いて説明したが、本発明の技術的範囲は上記実施例に記載の範囲に限定されない。上記実施例に、多様な変更または改良を加えることが可能である。また、そのような変更または改良を加えた形態も本発明の技術的範囲に含まれ得ることが、特許請求の範囲の記載から明らかである。例えば、電子商取引システムは全国銀行データ通信システムで主に説明をしたが金融機関は他のシステム（例えば郵便貯金のシステム）としても実施することができる。
【図面の簡単な説明】
【００７２】
【図１】本発明の好適な一実施例である電子商取引システム構成の概略を示した図である。
【図２】本発明のオークション決済フローを示した図である。
【図３】本発明の好適な一実施例の上記のシステムにおける処理の流れの詳細を示した図である。
【図４】バーチャル口座データベースの一例である。
【図５】本発明の別の実施例にかかる電子商取引システムに関する図である。
【図６】本発明の別の実施例にかかる振替・振込本口座決定手段の動作を示すフローチャートである。
【図７】本願発明の本発明の別の実施例にかかるオークション決済システムに関する図である。
【図８】本発明の別の実施例にかかるオークション決済システムの動作を示す図である。
【図９】サーバのハードウェア構成の一例を示す図である。
【符号の説明】
【００７３】
１０  落札者端末
２０  出品者端末
３０  振込口座管理装置
３２  オークション落札情報受信部
３４  バーチャル口座開設処理部
３６  振込・振替処理部
３８  振込管理処理部
４０  通信回線
５０  オークションサーバ
６０  金融サーバ
６２  バーチャル口座開設部
６６  振込・振替処理部
７０  バーチャル口座管理サーバ
７０ａ  記憶部
７２  オークション落札情報受信部
７４  バーチャル口座管理部
７８  振込管理処理部
【図１】
0004843388.tif 000002
【図２】
0004843388.tif 000003
【図３】
0004843388.tif 000004
【図４】
0004843388.tif 000005
【図５】
0004843388.tif 000006
【図６】
0004843388.tif 000007
【図７】
0004843388.tif 000008
【図８】
0004843388.tif 000009
【図９】
0004843388.tif 000010